(57)【要約】【課題】従来のビニール袋の開封には手指そのものか指サックに類するものを必要とするが、手指が乾燥している際は張り付いたビニール袋の口を開封するのは容易でなく、指サックに類する器具を用いる際はその装着及び収納の度に手間と場所をとっていた。【解決手段】本体１に手への装着のための構造上の湾曲部分を設ける。構造上の湾曲は例えば、本体１の素材をシリコン等のゴムとすることで本体１が左右対称である場合の中心線に沿って軽く折り曲げた形である。滑り止め手段である凹状の窪み２に支えられた凸状構造３の働きで、それぞれに接触したビニール袋５との摩擦力が起こり、隙間無くはりついたビニール袋の口の迅速な開封が微力な力でも可能となる。【選択図】図１
2015168180.tif 000002
【特許請求の範囲】
【請求項１】
手の形に添うよう中心で適当な角度（３０〜１２０°）に折り曲げた板状で、
内面の一部または全体に摩擦力の大きな滑り止め手段を設け、中心線または全体を手で握ることによって変形させる構造の袋開封具。
【請求項２】
前記開封具の両端付近に、開封具の手指への装着状態を保つための滑り止め手段である凹状の窪みを設けたことを特徴とする請求項１記載の開封具。
【請求項３】
前記開封具の内面に、凸状構造を設けたことを特徴とする第一及び請求項２記載の開封具。
【請求項４】
前記請求項１から３において、開封具の端部に、ストラップの取付手段が設けられていることを特徴とする開封具。
【発明の詳細な説明】
【技術分野】
【０００１】
この発明は、レジ袋、ゴミ袋等の開封または個別の分離に用いる器具の形状に関する。
【背景技術】
【０００２】
従来未使用の袋のスムーズな開封には手指に水を付けるなど滑りにくくする、または指サック等を使用する必要がある。
また袋をめくるための文具が特許文献１で開示されている。
【先行技術文献】
【特許文献】
【０００３】
【特許文献１】特開２００９−２４８４８７号公報
【発明の概要】
【発明が解決しようとする課題】
【０００４】
しかしながら、以上の技術によれば、袋の開封毎に上記文具を取り出したり、指サックを手指に装着する必要が
あり、スーパーでの会計後、商品の袋詰めを行う際に、その都度取り出す手間がかかった。
また直接手指で開封を行う場合でも、冬季等に乾燥した手指では滑ってしまい、開封
が困難であり、水を付けるなどの手間がかかった。
そこで、この発明は、ストラップの取付箇所を有することで装着の手間が省け、袋の
口を片手の指二本を用いて両端から挟めるように適当な角度に折り曲げられた板状で構造的に手の形に添う構造を有することで、
袋の開封または個別の分離が容易に可能な開封具を提供することを課題とする。
【課題を解決するための手段】
【０００５】
以上の課題を解決するために、第一発明は、手の形に添うよう中心で適当な角度（３０〜１２０°）に折り曲げた板状で、
内面の一部または全体に摩擦力の大きな滑り止め手段を設け、中心線または全体を手で握ることによって
変形させる構造の袋開封具である。
また、第二発明は、前記開封具の両端付近に、開封具の手指への装着状態を保つための滑り止め
手段である凹状の窪みを設けたことを特徴とする第一発明記載の開封具である。
また、第三発明は、前記開封具の内面に、凸状構造を設けたことを特徴とする第一及び第二発明記載の開封具である。
また、第四発明は、前記第一発明から第三発明において、開封具の端部に、ストラップの取付手段が設けられていることを特徴とする開封具である。
【発明の効果】
【０００６】
第一発明によれば、開封具が適当な角度に折り曲げられた板状で構造的に手の形に添うので、開封具を軽
い力で持つことが片手でも可能となり、任意の状況での装着及び使用が容易となる。
また、第二発明又は第三発明によれば、凸状構造同士が、ぴったりと合わさっている
袋の口を挟む際に凸部分同士が袋をはさんで当たり、それぞれの構造が、触れている袋の面を
巻き込みつつずれるので、袋の口の迅速な開封が可能となる。(図３aｂc）
また、第四発明によればストラップによって常に使用可能な状態で買い物袋などに保持されるので、
開封具を収納場所から取り出す手間を省く事が可能となる。（図４）
【図面の簡単な説明】
【０００７】
【図１】この発明の一実施形態を示す斜視図である。
【図２】この発明を使用する場合の斜視図である。
【図３】この発明の図１の破線での断面図である。
【図４】買い物袋に使用可能な状態で保持された様子を示す斜視図である。
【発明を実施するための形態】
【０００８】
この発明の一実施形態を、図１に示す。
開封具の本体１は湾曲した板状の摩擦力の大きいシリコンゴムであり、この本体１の両端部には、開封具の手指への
装着状態を保つための凹状の窪みである滑り止め手段２が、湾曲部分を中心に左右対称となる位置に複数設けられている。
そして、滑り止め手段２の窪みは、開封具の内側では半球状の凸状構造３となっている。
また、下端部にはストラップの取付手段４が設けられている。
【０００９】
この実施形態によれば、本体１及び滑り止め手段２の働きで、開封具に手に対する構造上の装着性が生まれる。
したがって、本体１の湾曲部分を親指以外の４指の付け根付近に沿わせ、
滑り止め手段２に親指と人差し指を各々当てて本体１を手の全体で包み込むことによって開封具本体１の保持が容易に可能となる。
また、本体１を手の全体で保持したまま握り込むことで、左右の凸状構造３同士で未開封のビニール袋を挟むこともできる。
【００１０】
図３は、図１中の破線における断面図を示した。図３のaには本体１、滑り止め手段２、凸状構造３、及び未開封のビニール袋５一枚が示されている。
図２に示すように本体１を片手で保持し、未開封のビニール袋５一枚を左右の凸状構造３で挟んだ状態が図３のbである。
凸状構造はシリコンゴムで、ビニール袋との摩擦力が大きい。
この時各凸状構造は、折り曲げられた本体１の左右がほぼ平行に、かつ、本体１に対して垂直線上に位置するように付き合わさっている。
そして、図中央の状態で凸状構造３からビニール袋５へかかる力の向きを互い違いの方向へ変化させると、
凸状構造３と接触していたビニール袋の表面は、それまでぴったりと合わさっていたもう一方のビニール面と、
凸状構造とビニール袋間の摩擦力が大きくビニール同士の摩擦力が小さいという摩擦力の違いにより乖離し、
乖離したビニール面とビニール面の間に隙間を生じさせる。この様子を示したのが図３のcである。
【００１１】
「実施形態の効果」
これらの実施形態によれば、ストラップの取付箇所を有することで装着の手間が省け、
袋の口を片手の指二本を用いて両端から挟めるように適当な角度に折り曲げられた板状で構造的に手の形に添う構造を有することで、
袋の開封または個別の分離が容易に可能とすることができる。
「他の実施形態」
図４の実施形態では、本体１の下端部にストラップの取付手段４が設けられており、
これを用いて開封具を買い物袋などの適当な場所にストラップとして装着しても良い。
また、取付手段４は伸縮自在のものを使用することで、ストラップを任意の箇所に取り付けたまま、袋の開封を行うことが可能となる。
また、取付手段４は開封具がホックなどの着脱可能となるタイプのものを使用しても良い。
また、本発明では蝶々の形をした実施形態としたがハート型、リボン形など手の形に沿う他の形態でも良い。
【符号の説明】
【００１２】
１  開封具本体            ２  滑り止め手段
３  凸状構造          ４  ストラップの取付手段
５  ビニール袋
【図１】
2015168180.tif 000003
【図２】
2015168180.tif 000004
【図３】
2015168180.tif 000005
【図４】
2015168180.tif 000006